(57)【要約】【課題】本発明の課題は、パラペットの外壁面をパネルで覆って外観を良くすると共に、パラペットの外壁面を清掃する際の作業性が良い手摺を提供することである。【解決手段】パラペット３に間隔を開けて立設される複数の支柱５と、パラペット３の外側に設けられたパネル７と、パネル７の左右に取り付けてパネル７を保持するパネル枠９と、支柱５に対してパネル枠９を回動自在に取り付けた連結部１５とを備え、連結部１５は水平軸２７、２９を有し且つ支柱の上部に設けられており、パネル７は、ボルト又はネジによりパネル枠９に取り付けられており且つパラペット３の外壁面４を覆っており、パネル７を連結部１５の水平軸回りに回動させてボルト又はネジを取り外した後に、パネル７を上方にスライドさせてパネル枠９からパネルを取り外すようにした。【選択図】    図１
2004316375.tif 000002
【特許請求の範囲】
【請求項１】
パラペットに間隔を開けて立設される複数の支柱と、パラペットの外側に設けられたパネルと、パネルの左右に取り付けてパネルを保持するパネル枠と、支柱に対してパネル枠を回動自在に取り付けた連結部とを備え、連結部は水平軸を有し且つ支柱の上部に設けられており、パネルは、ボルト又はネジによりパネル枠に取り付けられており且つパラペットの外壁面を覆っており、パネルを連結部の水平軸回りに回動させてボルト又はネジを取り外した後に、パネルを上方にスライドさせてパネル枠からパネルを取り外すことを特徴とする手摺。
【請求項２】
パネルは上部が下部よりも幅広で側端に段部が形成されており、パネル枠は段部の下に取り付けてあり、パネルを上方向からパネル枠にパネル側端を挿入したときに、パネル枠の上端にパネルの段部が当接することを特徴とする請求項１記載の手摺。
【請求項３】
パラペットに間隔を開けて立設される複数の支柱と、パラペットの外側に設けられたパネルと、パネルの四周に設けたパネル枠と、支柱に対してパネル枠を上下方向にスライド自在に取り付ける連結部とを備え、パネルはパラペットの外壁面を覆っており、パネル枠を上方にスライドさせた後に、パネルを上方にスライドさせてパネル枠からパネルを取り外すことを特徴とする手摺。
【請求項４】
パネル枠の竪枠には上下方向に沿う嵌合溝を備え、連結部はパネル枠の嵌合溝内に嵌合した被嵌合部と、ネジとを有し、ネジを被嵌合部に螺合して、ネジの先端を嵌合溝内の溝底に圧接していることを特徴とする請求項３記載の手摺。
【請求項５】
嵌合溝内には所定位置にストッパ部材が固定されており、連結具の上方からパネルとともに、パネル枠を下に向けてスライドさせたときに、連結部の上端にストッパ部材が当接することを特徴とする請求項４に記載の手摺。
【発明の詳細な説明】
【０００１】
【発明の属する技術分野】
本発明は、パラペットに支柱を立設した手摺に関するものである。
【０００２】
【従来の技術】
係る手摺として、特許文献１には、パネルの下端を支柱に対して回動自在としたものが開示されている（特許文献１）。
【０００３】
一方、特許文献２にはパネル枠にはめ込んだパネルを上方向にスライドさせて取り外し、パネルを上方向から下方向にスライドさせて取り付けるものが開示されている（特許文献２）。
【０００４】
【特許文献１】
特開平１０−１０２７１６号公報
【特許文献２】
特開２００２−８９００４号公報
【０００５】
【発明が解決しようとする課題】
上述の特許文献１に記載の従来技術では、パネルがパラペットの外壁面を覆うものではなく、パラペットの外壁面が露出しているので、外観が良好でない。これに対して、外観を良くするために、パネルでパラペットの外壁面を覆うことが望まれており、パネルでパラペットの外壁面を覆った場合に、特許文献１のように、パネルの下端がパラペットの内側に回動する構成では、パネルがじゃまになって、パラペットの内側からパラペットの外壁面の清掃作業がし難いとうい問題がある。
【０００６】
また、特許文献２に記載の従来技術では、パネルがパラペットの外壁面を覆うものではなく、特許文献１の従来技術と同様の問題がある。また、パネルが上下方向にスライドすることが開示されているが、パネルが小さい場合には問題ないが、パネルがパラペットの外壁面を覆うような大型の場合には、パネルをパラペットの内側から取り外そうとすると、パネルの重量がかさむと共に、取り外しにくく、パラペットの外壁面を清掃する際の作業性が悪いという問題がある。
【０００７】
さらに、パネル（ガラス）をパネル枠に取り付ける場合に、パネルの下部がパラペットの外壁面を覆うような位置にあると、パラペットの内側からパネル周囲にシール材を装着する作業、特に下枠とパネルとのシールがし難いという問題がある。
【０００８】
本発明の課題は、パラペットの外壁面をパネルで覆って外観を良くすると共に、パラペットの内側からパラペットの外壁面を清掃する際の作業性が良く且つパネル周囲にシール材を装着する作業がし易い手摺を提供することである。
【０００９】
【課題を解決するための手段】
請求項１に記載の発明は、パラペットに間隔を開けて立設される複数の支柱と、パラペットの外側に設けられたパネルと、パネルの左右に取り付けてパネルを保持するパネル枠と、支柱に対してパネル枠を回動自在に取り付けた連結部とを備え、連結部は水平軸を有し且つ支柱の上部に設けられており、パネルは、ボルト又はネジによりパネル枠に取り付けられており且つパラペットの外壁面を覆っており、パネルを連結部の水平軸回りに回動させてボルト又はネジを取り外した後に、パネルを上方にスライドさせてパネル枠からパネルを取り外すことを特徴とする。
【００１０】
この請求項１に記載の発明では、パラペットの外壁面がパネルで覆われているので、パラペットが外部に露出せず外観が良い。
【００１１】
パラペットの外壁面を清掃する場合には、支柱に取り付けたパネル枠を連結部の水平軸回りに回動し、所定の位置でパネル枠を固定する。外壁面のメンテナンス作業が終了すると、ボルトを緩めてパネル枠を元の位置に戻して、再びボルトを締め付けて作業が終了する。
【００１２】
パネル枠は，支柱の上部の連結部を中心に回動するので、パネル下部とパラペットとの間の作業空間を広く形成でき、パラペットの外壁面のメンテナンスする際の作業性が良い。
【００１３】
更に、パネルをパネル枠から取り外す場合には、パネル枠を斜め位置に固定した状態で、パネルを取り外すことができるので、パネルをスライドさせやすく、パネルを垂直に持ち上げる場合に比べて取り外しが簡単である。
【００１４】
パネル枠を支柱に固定したままパネルのみを取り外すことができ、パネルの交換や補修が簡単である。
【００１５】
請求項２に記載の発明は、請求項１記載の発明において、パネルは上部が下部よりも幅広で側端に段部が形成されており、パネル枠は段部の下に取り付けてあり、パネルを上方向からパネル枠にパネル側端を挿入したときに、パネル枠の上端にパネルの段部が当接することを特徴とする。
【００１６】
この請求項２に記載の発明では、請求項１に記載の発明と同様の作用効果を奏するとともに、パネルをパネル枠の上方向からパネル枠に挿入したときに、パネル枠の上端にパネルの段部を当接させて止めることができるので、重力を利用してパネルをスライド装着でき、取り付けが簡単である。
【００１７】
請求項３に記載の発明は、パラペットに間隔を開けて立設される複数の支柱と、パラペットの外側に設けられたパネルと、パネルの四周に設けたパネル枠と、支柱に対してパネル枠を上下方向にスライド自在に取り付ける連結部とを備え、パネルはパラペットの外壁面を覆っており、パネル枠を上方にスライドさせた後に、パネルを上方にスライドさせてパネル枠からパネルを取り外すことを特徴とする。
【００１８】
この請求項３に記載の発明では、取り付け時にはパネルでパラペットの外壁面を覆っているので、パラペットの外壁面が外部に露出せず、外観が良い。
【００１９】
パラペットの清掃時には、パネル枠を上方にスライドさせた後に、パネルを取り外すことができるので、パネルを垂直に高く持ち上げてパネルを取り外す必要がなく、作業性が良い。
【００２０】
さらに、パネルをパネル枠に取り付ける場合には、パネル枠を上方にスライドさせた後に、パネル周囲にシール材を装着することができるので、パラペットの内側からのシーリング作業がしやすい。
【００２１】
請求項４に記載の発明は、請求項３に記載の発明において、パネル枠の竪枠には上下方向に沿う嵌合溝を備え、連結部はパネル枠の嵌合溝内に嵌合した被嵌合部と、ネジとを有し、ネジを被嵌合部に螺合して、ネジの先端を嵌合溝内の溝底に圧接していることを特徴とする。
【００２２】
この請求項４に記載の発明では、請求項３に記載の発明と同様の作用効果を奏するとともに、ネジの締め付けにより支柱に対するパネル枠のスライドを阻止することができ、ネジを緩めるだけでパネル枠の上下方向のスライドを許容することができる。
【００２３】
請求項５に記載の発明は、請求項４に記載の発明において、嵌合溝内には所定位置にストッパ部材が固定されており、連結具の上方からパネルとともに、パネル枠を下に向けてスライドさせたときに、連結部の上端にストッパ部材が当接することを特徴とする。
【００２４】
この請求項５に記載の発明では、請求項４に記載の発明と同様の作用効果を奏するとともに、連結具の上方向からパネル枠を下方向にスライドさせたときに、連結具の上端にストッパ部材が当接してパネル枠を止めることができるので、重力を利用してパネルのスライド装着ができ、取り付けが簡単である。
【００２５】
【発明の実施の形態】
以下に本発明の実施例を図面に基づいて具体的に説明する。
【００２６】
図１は、本発明の第１実施の形態に係る手摺を側面から見た断面図、図２は図１に示す手摺のＡ−Ａ位置での横断面図、図３は図１に示す手摺の正面図、図４は図１に示す手摺の連結部周辺を示す分解斜視図である。
【００２７】
第１実施の形態に係る手摺１は、バルコニーに設置されるものであり、バルコニーのパラペット３に適宜間隔を置いて立設した複数の支柱５と、パラペット３の外側に設けられたパネル７とから構成される。
【００２８】
パネル７は、矩形状でガラスを使用したものであり、パネル７の上部はパネル７の下部よりも幅広に形成されており、パネル７の側端に段部８が形成されている。パネル下部の左右側にはパネル７を保持するパネル枠９が取り付けられている。パネル７の下端７ａの位置はパラペット３の下端３ａの位置とほぼ同一の水平線上にあり、パネル７でパラペット３の外壁面４を覆っている。
【００２９】
パネル枠９は、その側端が上下方向に開口した取付溝１１を有しており、取付溝１１にパネル７の左右側端を挿入して、パネル７を保持するようになっている。また、パネル枠９の上下端部には、ボルト又はネジの挿通孔１３が形成されている。
【００３０】
支柱５には、パネル枠９との連結部１５、１７が取り付けられており、支柱５の上部に設けられた連結部（上連結部）１５は、支柱５に対してパネル枠９が回動自在になるように取り付けられている。一方、支柱５の下部に設けられた連結部（下連結部）１７は、パネル枠９に対してボルト２３で固定されている。また、支柱５間には笠木６が取り付けられている。
【００３１】
上連結部１５は、パラペット３の支柱５の外側に向けて固定された支持部１９と、略Ｌ字状の係止具２１とからなり、係止具２１を介して支持部１９と左右のパネル枠９とを連結している。パネル枠９の取付溝１１内にはネジ溝を有する受け具２５が設けられており、係止具２１の支柱側からボルト２３を挿通して受け具２５に螺合させることで、係止具２１の一端とパネル枠９とを連結している。
【００３２】
また、ボルト２３の先端２４はパネル枠９の取付溝１１に位置しており、ボルト２３の先端２４で取付溝１１内に収納されたパネル７の表面を圧接して、パネル７が取付溝１１内に固定されている。
【００３３】
係止具２１の一端側では、支持部１９の左右両側から係止具２１を挟み、左右の何れか一方の係止具２１側からボルト２７を、係止具２１と支持部１９とに挿通して、ナット２９で締結している。
【００３４】
次に、上記した構成に基づき、本実施の形態の作用を説明する。第１実施の形態に係る手摺１において、通常時はパラペット３の外側に設けられたパネル７でパラペット３の外壁面４を覆っている。パラペット３の外壁面４を清掃する場合には、支柱５の下連結部１７のボルト２３を取り外す。そして、支柱５の上連結部１５のボルト２７の締結を緩め、パネル枠９を外側に向けて回動させて、所定位置でボルト２７を締め付ける。外壁面４の清掃作業が終了すると、ボルト２７を緩めてパネル枠９を元の位置に戻して、上連結部１５のボルト２７を締め付けることで作業が終了する。
【００３５】
このように、パネル枠９を外側に向けて回動させて所定位置で固定することで、パネル７とパラペット３との間に作業空間を広く形成でき、パラペット３の内側からパラペット３の外壁面４の清掃作業が簡単にできる。
【００３６】
パラペット３の外壁面４がパネル７で覆われているので、パラペット３が外部に露出せず外観が良い。
【００３７】
パネル枠９からパネル７を取り外すには、係止具２１の他端側に取り付けてあるボルト２３を緩める。ボルト２３を緩めると、ボルト２３の先端２４が取付溝１１内の位置から引っ込んで、ボルト２３とパネル７との圧接を解除できる。
【００３８】
このように、パネル枠９を支柱５に固定したままパネル７のみを取り外すことができ、パネル７の交換や補修が簡単である。
【００３９】
また、パネル枠９を斜め位置に固定した状態で、パネル７を取り外すことができるので、パネル７をスライドさせやすく、取り外しが簡単である。
【００４０】
パネル７の左右にパネル枠９を取り付けているので、パネル７の上部にパネル枠９がなく、パネル７の上部を手で持ち上げることができ、取り外しが簡単である。
【００４１】
パネル枠９の取付溝１１内にパネル７を戻すときに、パネル枠９の上端にパネル７の段部８を当接させて止めることができるので、パネル７を重力を利用してスライド装着でき、取付けが容易である。
【００４２】
次に、図５乃至図８を参照して、本発明の第２実施の形態について説明する。尚、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００４３】
第２実施の形態では、パラペット３の外側に設けられたパネル７には、その上下左右にパネル枠９を取り付けている。支柱５の上下端部には、支柱５に対してパネル枠９を上下方向にスライド自在に取り付ける連結部（上連結部３３、下連結部３５）を設けており、パネル枠９を上方にスライドさせた後に、パネル枠９を取り外した後に、パネル枠９からパネル７を取り外せるようになっている。
【００４４】
パネル枠９の縦枠３２には上下方向に沿う嵌合溝３７が形成されており、係止具２１の他端側に設けられた被嵌合部３９が、嵌合溝３７内に嵌合している。そして、ネジ４１を係止具２１の他端側から嵌合溝３７内に螺合して、ネジ４１の先端を嵌合溝３７の溝底に圧接することにより、パネル枠９を支柱５に固定している。
【００４５】
このように、ネジ４１の圧接によりパネル枠９と支柱５とを固定しているので、ネジ４１の締め付けにより支柱５に対するパネル枠９のスライドを阻止することができ、ネジ４１を緩めるだけでパネル枠９の上下方向のスライドを許容することができる。
【００４６】
嵌合溝３７内にはストッパ部材４３が設けられており、パネル枠９を下に向けてスライドさせたときに、被嵌合部３９の上端にストッパ部材４３が当接することで、パネル枠９が係止される。
【００４７】
ストッパ部材４３が被嵌合部３９の上端に当接してパネル枠９が止まるので、パネル枠９と連結部３３とのネジ留めの際に、パネル枠９を手で支える必要がなく、パネル枠９と連結部３３との固定が容易である。
【００４８】
また、パネル７をパネル枠９に取り付ける場合には、パネル枠９を上方にスライドさせた状態で、パネル７の周囲にシール材４０を装着することができるので、パラペット３の内側からのシーリング作業がしやすい。
【００４９】
本発明は、上述のようなの実施の形態に限定されず、その要旨を逸脱しない範囲内において種々の変形が可能である。
【００５０】
図９に示す変形例では、パネル枠９を支柱５に対してスライド自在に設けており、特徴として係止具２１に略コ字状のガイドレール４５を設け、このガイドレール４５内をパネル枠９が上下にスライドできるようになっている。また、支柱５に固定された支持部１９には長孔４７を形成しており、ボルト２７及びナット２９の挿通位置を前後方向に変えて、支柱５とパネル５との距離を自在に変えられるようになっている。
【００５１】
図１０に示す変形例では、図８で示す竪枠３２の嵌合溝３７内に被嵌合部５４を上下動自在に設けている。被嵌合部５４は略四角形状の係止部材５５と、係止部材５５に埋め込まれたボルトの軸５７とからなり、係止部材５５を上から嵌合溝３７内に挿入し、所定の位置でボルトの軸５７を係止具２１の挿通孔を挿通させて竪枠３２の外側からナット５６で締め付けることで、係止具２１を竪枠３２に固定できるようになっている。
【００５２】
第１実施の形態ではパネル７の下端７ａはパラペット３の下端３ａとほぼ同一水平線上になるようにしたが、パネル７の下端７がパラペット３の下端３ａよりも下方になるようにしても良い。
【００５３】
パネル７はガラスを用いたが、これに限定されずアクリルや、ポリカーボネイトであっても良い。
【００５４】
パネル７は格子状や、ガラリ形状を有するものであっても良い。
【００５５】
手摺１は、バルコニーの他、屋上、スロープ、階段等の手摺に適用するものでも良い。
【００５６】
【発明の効果】
請求項１に記載の発明では、パラペットの外壁面がパネルで覆われているので、パラペットが外部に露出せず外観が良い。
【００５７】
パネル枠は，支柱の上部の連結部を中心に回動するので、パネル下部とパラペットとの間の作業空間を広く形成でき、パラペットの外壁面のメンテナンスする際の作業性が良い。
【００５８】
更に、パネルをパネル枠から取り外す場合には、パネル枠を斜め位置に固定した状態で、パネルを取り外すことができるので、パネルをスライドさせやすく、パネルを垂直に持ち上げる場合に比べて取り外しが簡単である。
【００５９】
パネル枠を支柱に固定したままパネルのみを取り外すことができ、パネルの交換や補修が簡単である。
【００６０】
請求項２に記載の発明では、請求項１記載の発明と同様の効果を奏するとともに、パネルをパネル枠の上方向からパネル枠に挿入したときに、パネル枠の上端にパネルの段部を当接させて止めることができるので、重力を利用してパネルをスライド装着でき、取り付けが簡単である。
【００６１】
請求項３に記載の発明では、取り付け時にはパネルでパラペットの外壁面を覆っているので、パラペットの外壁面が外部に露出せず、外観が良い。
【００６２】
パラペットの清掃時には、パネル枠を上方にスライドさせた後に、パネルを取り外すことができるので、パネルを垂直に高く持ち上げてパネルを取り外す必要がなく、作業性が良い。
【００６３】
パネルをパネル枠に取り付ける場合に、パネル枠を上方にスライドさせた後に、パネル周囲にシール材を装着することができるので、パラペットの内側からのシーリング作業がしやすい。
【００６４】
請求項４に記載の発明では、請求項３に記載の発明と同様の効果を奏するとともに、ネジの締め付けにより支柱に対するパネル枠のスライドを阻止することができ、ネジを緩めるだけでパネル枠の上下方向のスライドを許容することができる。
【００６５】
請求項５に記載の発明では、請求項４に記載の発明と同様の効果を奏するとともに、連結具の上方向からパネル枠を下方向にスライドさせたときに、連結具の上端にストッパ部材が当接してパネル枠を止めることができるので、重力を利用してスライド装着でき、取り付けが簡単である。
【図面の簡単な説明】
【図１】本発明の第１実施の形態に係る手摺を側面から見た断面図である。
【図２】図１に示す手摺のＡ−Ａ位置での横断面図である。
【図３】図１に示す手摺の正面図である。
【図４】図１に示す手摺の連結部周辺を示す分解斜視図である
【図５】本発明の第２実施の形態に係る手摺を側面から見た断面図であり、パネルを上方にスライドさせた状態を示す図である。
【図６】本発明の第２実施の形態に係る手摺を側面から見た断面図であり、パネルを下方にスライドさせた状態を示す図である。
【図７】図５に示す手摺の正面図である。
【図８】図５に示す手摺をパラペットの内側から見た斜視図であり、（ａ）は連結部周辺を示す斜視図であり、（ｂ）は（ａ）に示す手摺のＡ−Ａ位置での横断面図である。
【図９】変形例に係る手摺の連結部周辺を示す分解斜視図である。
【図１０】変形例に係る手摺の連結部周辺を示す分解斜視図であり、一点鎖線で抜き出して示すのは、四角ボルトを嵌合溝内に収納する状態を示す斜視図である。
【符号の説明】
１            手摺
３            パラペット
４            外壁面
５            支柱
７            パネル
８            段部
９            パネル枠
１５          上連結部（連結部）
３２          竪枠
３７          嵌合溝
３９          被嵌合部
４３          ストッパ部材
【図１】
2004316375.tif 000003
【図２】
2004316375.tif 000004
【図３】
2004316375.tif 000005
【図４】
2004316375.tif 000006
【図５】
2004316375.tif 000007
【図６】
2004316375.tif 000008
【図７】
2004316375.tif 000009
【図８】
2004316375.tif 000010
【図９】
2004316375.tif 000011
【図１０】
2004316375.tif 000012